(57)【要約】【課題】開閉体の閉戸時における押圧式スイッチの可動接片（アクチュエータ）の揺動支点部２６に対する瞬間的な摩擦力（摩擦振動）を抑制してスイッチの損傷を防止すること。【解決手段】戸枠に対して開閉する開閉体の戸先にケースを設け、ケースにトリガーを水平移動自在に取付け、トリガーはケース内に配設された付勢手段により先端部がケースから常時突出するように付勢されていると共に内端部に一側外面から外向方に延び、かつ材質自体により自由端部が一側外面側へ変位可能な弾性押圧片を一体に有し、また揺動変位可能な可動接片を有する押圧式スイッチをトリガーの内端部付近に配設し、開閉体の閉戸時、トリガーの先端部が戸枠側に衝突して付勢手段の付勢力に抗して後退する際には、弾性押圧片の自由端部が可動接片の表面を摺動する開閉体におけるスイッチの押圧構造。【選択図】図１
2009144446.tif 000002
【特許請求の範囲】
【請求項１】
開閉体の戸先にケースを設け、このケースにトリガーを水平移動自在に取付け、このトリガーは、前記ケース内に配設された付勢手段によりその先端部がケースから常時突出するように付勢されていると共に、内端部に一側外面から外向方に延び、かつ材質自体により自由端部が一側外面側へ変位可能な弾性押圧片を一体に有し、また、揺動変位可能な可動接片を有する押圧式スイッチを前記トリガーの内端部付近に配設し、前記開閉体の閉戸時、前記トリガーの先端部が戸枠側に衝突して前記付勢手段の付勢力に抗して後退する際には、前記弾性押圧片の自由端部が前記可動接片の表面を摺動することを特徴とするドア、引戸等の開閉体におけるスイッチの押圧構造。
【請求項２】
請求項１に於いて、押圧式スイッチはマイクロスイッチであり、そのレバー式可動接片が水平状態へと揺動変位することができるように、付勢手段の後方に横設されていることを特徴とするドア、引戸等の開閉体におけるスイッチの押圧構造。
【請求項３】
請求項１に於いて、弾性押圧片は、トリガーとは別個に成形された成形品であり、取付け基端部と該取付け基端部に連設する指状弾性押圧部とを有し、前記トリガーの内端部に形成された被嵌合部に前記取付け基端部が嵌入していることを特徴とするドア、引戸等の開閉体におけるスイッチの押圧構造。
【発明の詳細な説明】
【技術分野】
【０００１】
本発明は、ドア、引戸等の開閉体におけるスイッチの押圧構造に関する。
【背景技術】
【０００２】
特許文献１には、「戸先が戸枠に衝突する閉戸時に、制御装置がスイッチの閉扉信号を拾う引戸錠のスイッチのオン・オフ機構に於いて、スイッチのオン・オフ機構は、錠ケース１０の内部に配設したスイッチ６０と、錠ケースに水平方向へ摺動自在に設けられたトリガー３１と、このトリガーと前記スイッチの間に軸支されたスイングアーム５１とから成り、前記スイングアーム５１は、一端部にトリガー３１に形成された衝突面４６に当接可能な当り部５２を有し、該スイングアームは、受け金具Ｙに押されて後退動するトリガー３１の前記衝突面４６が前記当り部５２に衝突すると、支軸２６を支点に回動して、当り部５２の反対側に位置する他端部５５でスイッチを作動させ、一方、前記当り部５２は、トリガー３１の上面３６に乗り上がりそのまま支持される引戸錠のスイッチのオン・オフ機構」が開示されている（符号は特許文献１に記載のもの）。
【０００３】
また、特許文献１の段落００２６には、「………スイッチ６０は、スイングアーム５１の揺動に対応してオン（ＯＮ）、オフ（ＯＦＦ）するように錠ケース１０内のフロント１１寄りの部位に固定的に配設されていることや、該スイッチ６０は、マイクロスイッチが採用され、マイクロスイッチ６０は、アクチャエータと称される可動接触片６１を有すること」、また、段落００２７には、「スイングアーム５１は、マイクロスイッチ６０とトリガー３１との間に支軸２６を介して所定量回動することができるように軸支されていることや、下端部（一端部）の当り部５２とは反対側の指先状上端部（他端部）には、端面Ｌ型状に形成され、その一部はスイッチ６０の可動接触片６１を押圧する押圧部５５の機能を有していること」がそれぞれ記載されている。
【０００４】
ところで、特許文献１の記載のスイッチの押圧構造は、トリガー３１の内端部と押圧式スイッチ６０との間に該トリガー３１に連動するスイングアーム５１を介して前記押圧式スイッチ６０の可動接触片６１を押圧するものであるが、前記可動接触片６１を押圧する部分（押圧部）５５にバネ性（弾性）を持たせていない。
【０００５】
したがって、押圧式スイッチ６０の可動接触片６１を直接的に押圧するタイプ、又は特許文献１のように連動片５１を介して間接的に押圧するタイプ、のいずれであっても、可動接触片６１を押圧する部分（押圧部）５５にバネ性（弾性）を持たせていない場合には、レバー式可動接片（アクチュエータ）の揺動支点に対する瞬間的な摩擦力（摩擦振動）を緩和することができないという問題点がある。また、特許文献１の記載のスイッチの押圧構造は、スイングアーム方式の連動片５１を構成要件とするから、その分、部品点数が増えると共に、押圧式スイッチ６０の設置場所もフロントの内壁面側に特定されるという問題点がある。
【特許文献１】特開２００５−２７３２号公報
【発明の開示】
【発明が解決しようとする課題】
【０００６】
本発明の所期の目的は、特許文献１の問題点に鑑み、開閉体の閉戸時における押圧式スイッチの可動接片（アクチュエータ）の揺動支点部に対する瞬間的な摩擦力（摩擦振動）を抑制（緩和）してスイッチの損傷を防止することができると共に、「瞬断」防止の効果も得ることである。第２の目的は、部品点数を少なくして、本発明の所期の目的を達成することができることである。第３の目的は、トリガーの内端部に弾性押圧片を簡単に取付けることができることである。
【課題を解決するための手段】
【０００７】
本発明のドア、引戸等の開閉体におけるスイッチの押圧構造は、開閉体の戸先にケースを設け、このケースにトリガーを水平移動自在に取付け、このトリガーは、前記ケース内に配設された付勢手段によりその先端部がケースから常時突出するように付勢されていると共に、内端部に一側外面から外向方に延び、かつ材質自体により自由端部が一側外面側へ変位可能な弾性押圧片を一体に有し、また、揺動変位可能な可動接片を有する押圧式スイッチを前記トリガーの内端部付近に配設し、前記開閉体の閉戸時、前記トリガーの先端部が戸枠側に衝突して前記付勢手段の付勢力に抗して後退する際には、前記弾性押圧片の自由端部が前記可動接片の表面を摺動することを特徴とする。
【０００８】
上記構成に於いて、押圧式スイッチはマイクロスイッチであり、そのレバー式の可動接片が水平状態へと揺動変位することができるように、付勢手段の後方に横設されていることを特徴とする。また、弾性押圧片は、トリガーとは別個に成形された成形品であり、取付け基端部と該取付け基端部に連設する指状弾性押圧部とを有し、前記トリガーの内端部に形成された被嵌合部に前記取付け基端部が嵌入していることを特徴とする。
【発明の効果】
【０００９】
（１）開閉体の閉戸時における押圧式スイッチの可動接片（アクチュエータ）の揺動支点部２６に対する瞬間的な摩擦力（摩擦振動）を抑制してスイッチの損傷を防止することができる。また、スイッチの作動時、弾性押圧片６の弾性変位復帰力がレバー式可動接片２７に常に作用しているので、可動接片の可動接点が瞬間的に離れる現象（ここでは「瞬断」という）を防止することができる。
（２）部品点数を少なくして本発明の所期の目的を達成することができる。
（３）弾性押圧片６を、いわゆるワンタッチ式にトリガー４の内端部に取付けることができる。
（４）その他、押圧式スイッチを、付勢手段５の後方に横設することができる。
【発明を実施するための最良の形態】
【００１０】
以下、図１乃至図９に示す本発明を実施するための最良の形態により説明する。
【００１１】
（１）発明の実施の基本的な環境
図１は発明の実施の環境を示す概略説明図（作動前）である。まず、図１を参照にして、本発明の基本的な環境部材を説明する。１は戸枠、１ａは戸枠の縦枠（受け具がある場合には受け具も含む）、一方、２は戸枠１に対して開閉する開閉体（例えば引戸）、２ａは開閉体の戸先、３は開閉体の戸先に設けられた（例えば彫り込み型）ケース、４はケースに水平移動自在に取付けられたトリガー、４ａはトリガーの先端部、４ｂはトリガーの内端部、５はケース内に配設され、かつ前記トリガーの先端部がケースのフロントから常時突出するように付勢する付勢手段、６は前記トリガーの内端部４ｂに一体的に取り付けられ、或いは設けられ、或いは又一体成形され、前記内端部４ｂの一側外面から外方に向延びていると共に材質自体により自由端部が一側外面側へ変位可能な弾性押圧片、７は揺動変位可能なレバー式可動接片を有する押圧式スイッチ（例えばマイクロスイッチ）、８は押圧式のスイッチが検出した検出信号（例えば閉戸時信号）ａを、リード線９を介して受け取る制御装置である。押圧式スイッチと電気的に接続する電源を含む制御装置の詳細は割愛する。
【００１２】
（２）戸枠１、開閉体２及びケース３
まず、戸枠１は、建物の出入り口（開口部）に取付けられるわく部材で、周知のように、縦枠１ａと図示しない横枠とから成る。縦枠１ａには図示しない受け具が取付けられている。
【００１３】
次に、開閉体２は、実施例では引戸であるが、開き戸（扉）であっても良い。引戸２は、周知のように、矢印Ａ方向への操作により閉戸されるものである。
【００１４】
次に、図１では、ケース３を錠箱とは別個に描き、スイッチの押圧構造Ｘの収納体としているが、もちろん、該ケース３は錠箱であっても良い。本実施例では、ケース３が錠箱とは別個に形成され、かつ、もっぱらスイッチの押圧構造Ｘの収納体の場合にも権利を請求する意味合いで、便宜上、ケース３の必要な部分のみを示し、また、発明の構成部材も特定要件のみを示している。したがって、ケース３を錠箱に形成した場合には、トリガー４の先端部４ａは受け具の縦長状ストライクの外面に衝突する場合もある。
【００１５】
さて、ケース３は、不番のケース身とケース蓋とから構成され、戸先２ａに位置付けられるフロント１１を有している。このフロント１１の中央部には、トリガー用開口１２が形成されている。細部的事項は割愛するが、ケース３は、軸孔、トリガー用案内長孔、取付け柱等が設けられている。
【００１６】
（３）トリガー４とその付勢手段５
図４を参照にしてトリガー４の構成を説明する。トリガー４は、扁平型の板体であり、その先端部４ａは船首のように先細りに形成されている。トリガー４の内端部（後端部）４ｂの左右の側壁（手前と向こう側の側面）には、ケース4のトリガー用案内長孔と係合する一対の支持突起１３が形成されている。また、トリガー４の中央部には、長手方向に係合長孔１４が形成されている。そして、本実施例では、トリガーの内端部４ｂの一側壁には、切欠状の被嵌合部１５が形成されている。
【００１７】
上記構成のトリガー４は、図１で示すように、ケース３内に配設された付勢手段５により、その先端部４ａがケース３のフロント１１から常時突出するように付勢されている。しかして、前記付勢手段５は、基端部がケース4のフロント１１付近に設けられた固定軸１６に軸支されていると共に、その自由端部がトリガー４の内端部４ａの係合長孔１４に交差状態に係合する指状のトリガー係止片１７と、前記固定軸１６に巻装されたトリガーバネ１８とから成る。なお、前記固定軸１６はケース３に横設軸架され、また、前記トリガーバネ１８の一端部はケース３の底壁内面に圧接すると共に、他端部はトリガー係止片１７の側部に係止されている。
【００１８】
（４）弾性押圧片６
図５乃至図８は、トリガーの内端部４ｂに一体的に設けられた弾性押圧片６の一例を示す。弾性押圧片６は、トリガー４の内端部４ｂに一体的に取り付けられ或いは設けられ（本実施例）、或いは又一体成形され、前記内端部４ｂの一側外面（本実施例では下面）から外方向（本実施例では下方向）に延びていると共に、材質自体により、その自由端部が一側外面側へ変位可能である。
【００１９】
本実施例では、弾性押圧片６は、トリガー４とは別個に成形された成形品であり、取付け基端部６ａと、該取付け基端部に連設する指状弾性押圧部６ｂとを有し、前記トリガーの内端部４ｂの被嵌合部１５に前記取付け基端部６ａが嵌入している。
【００２０】
付言すると、弾性押圧片６は、合成樹脂材で指状弾性押圧部６ｂを有するブロック状に形成され、弾性変位機能、弾性変位復帰機能及びその形態を保持する剛性的機能を有する。
【００２１】
前記取付け基端部６ａは、上・下のフランジ２１と、これらのフランジを連結する短柱状の嵌合部２２とを有している。また、前記指状弾性押圧部６ｂは、前記下のフランジ２１の下面の後端縁からトリガー係止片１７の側部方向に向かって延びており、指先に相当する自由端部（押圧端）２３の外面は曲面状に形成されている。
【００２２】
上記構成の弾性押圧片６は、図５で示すように、その短柱状嵌合部２２をトリガーの内端部４ｂの切欠状被嵌合部１５に押し込むようにして嵌め込むと、上・下のフランジ２１が前記弾性押圧片６をサンドイッチ状に挟持した状態で、いわゆるワンタッチ方式でトリガーの内端部４ｂに取付けることができる。
【００２３】
（５）押圧式のスイッチ７
押圧式スイッチ７はマイクロスイッチであり、スイッチ要素を内蔵したスイッチケース２５と、このスイッチケース２５の一側上面２５ａの一端部（実施例では右端部）の揺動支点部２６から、その裏側が前記一側上面２５ａに対して略水平状態となる位置まで揺動変位可能なレバー式の可動接片２７とから成る。
【００２４】
本実施例の押圧式スイッチ７は、図１で示すように、開閉体２の開放時、換言すれば、トリガー４の先端部４ａが所定位置まで突出した時、揺動支点部２６の略真上或いはその近傍に弾性押圧片６の押圧端２３の外面が位置するように横設されている。
【００２５】
付言すると、押圧式スイッチ７は、図２で示すように、開閉体２の閉戸時に、弾性押圧片６の押圧端２３の外面に押圧されて、その可動接片２７がスイッチケース２５の一側上面２５ａ側（水平状態）へと揺動変位することができるように、付勢手段７のトリガー係合片１７の後方に横設されている。図９は押圧式スイッチ７が作動する前の状態を概略的に示している。
【００２６】
（６）作用
本実施例では、引戸２の戸先２ａが戸枠１の縦枠１ａに衝突すると、トリガー４は、その先端部４ａが前記縦枠１ａに当たるので、図２及び図３で示すように、トリガー４は、ケース３内へと水平状態に後退動する。
【００２７】
すなわち、トリガー４の先端部４ａが戸枠側に衝突して、付勢手段５の付勢力に抗して後退する際には、トリガー４の弾性押圧片６の自由端部（押圧端）２３がレバー式可動接片２７の表面を摺動するので、押圧式スイッチ７は、オンの状態と成る。このオン信号は、検出信号（例えば閉戸時信号）ａとして制御装置８に送られる。
【００２８】
ところで、開閉体２の衝突時、トリガー４には外部（縦枠）から衝撃力を受け、この衝撃力は、押圧式スイッチ７のレバー式可動接片（アクチュエータ）２７の揺動支点部２６に対する瞬間的な摩擦力（摩擦振動）となるが、この瞬間的な摩擦力は、弾性押圧片６の指状弾性押圧部６ｂの弾性変位機能により抑制され、その結果、押圧式スイッチ７のスイッチの損傷を防止することができる。また、作動時、弾性押圧片６は、前述した「瞬断」防止の効果も発揮する。
【実施例】
【００２９】
発明の実施の形態で示した実施例に於いて、弾性押圧片６は、トリガー４とは別個に成形された成形品であり、取付け基端部６ａと該取付け基端部に連設する指状弾性押圧部６ｂとを有し、前記トリガー４の内端部４ｂに形成された被嵌合部１５に前記取付け基端部のフランジ２１を有する嵌合部２２が嵌入しているが、この取付け構造は一例である。例えば接着、固着、螺着等任意の固定構造に設計変更することができる。要は、指状弾性押圧部６ｂがトリガー４の内端部にダイレクトに設けられていれば良い。したがって、設計如何によっては、トリガー４の内端部４ｂに指状弾性押圧部６ｂを一体に成形することもできる。
【産業上の利用可能性】
【００３０】
本発明は、主に錠前や建具の業界で利用される。
【図面の簡単な説明】
【００３１】
図１乃至図９は本発明の最良の実施例を示す各説明図。
【図１】発明の実施の環境を示す概略説明図（開戸時、作動前）。
【図２】発明の実施の環境を示す概略説明図（閉戸時、作動時）。
【図３】開扉時の作動前から閉戸時の作動時になった状態を示す概略説明図。
【図４】トリガーの概略説明図。
【図５】トリガー４に対する弾性押圧片６の取付け構造を示す概略説明図。
【図６】弾性押圧片６の正面図。
【図７】図６を基準とする底面図。
【図８】図６を基準とする右側面図。
【図９】押圧式スイッチ７が作動する前の状態を示す概略説明図。
【符号の説明】
【００３２】
Ｘ…スイッチの押圧構造、1…戸枠、１ａ…縦枠、２…開閉体、２ａ…戸先３…ケース、４…トリガー、４ａ…トリガーの先端部、４ｂ…トリガーの内端部、５…付勢手段、６…弾性押圧片、６ａ…取付け基端部、６ｂ…指状弾性押圧部、７…押圧式スイッチ、８…制御装置、ａ…検出信号（例えば閉戸時信号）、９…リード線、１１…フロント、１２…トリガー用開口、１３…支持突起、１４…係合長孔、１５…被嵌合部、１６…固定軸、１７…トリガー係止片、１８…トリガーバネ、２１…上・下のフランジ、２２…短柱状の嵌合部、２３…自由端部、２５…スイッチケース、２５ａ…一側上面、２７…可動接片。
【図１】
2009144446.tif 000003
【図２】
2009144446.tif 000004
【図３】
2009144446.tif 000005
【図４】
2009144446.tif 000006
【図５】
2009144446.tif 000007
【図６】
2009144446.tif 000008
【図７】
2009144446.tif 000009
【図８】
2009144446.tif 000010
【図９】
2009144446.tif 000011